(57)【要約】【課題】窓サッシを建物の外壁側に取り付ける他に、窓サッシを建物の内壁側に取り付けることができる壁部の開口構造を提供することを提供すること。【解決手段】外壁面材１１と内壁面材１２とを備えた壁部１に開口２が形成され、この開口２の縁部の外壁面材側と内壁面材側のそれぞれに間柱３、４が設けられ、間柱３又は間柱４にサッシが取り付けられる。【選択図】        図１
2004346626.tif 000002
【特許請求の範囲】
【請求項１】
外壁面材と内壁面材とを備えた壁部に開口が形成され、この開口の縁部の外壁面材側と内壁面材側のそれぞれに間柱が設けられていることを特徴とする壁部の開口構造。
【請求項２】
外壁面材と内壁面材とを備えた壁部を有する箱形の建物ユニットの前記壁部に開口が形成され、この開口の縁部の外壁面材側と内壁面材側のそれぞれに間柱が設けられていることを特徴とする建物ユニット。
【請求項３】
外壁面材と内壁面材とを備えた壁部に開口が形成され、この開口の縁部の外壁面材側と内壁面材側のそれぞれに間柱が設けられ、内壁面材側に設けられた間柱にサッシが取り付けられ、外壁面材側の開口部に額縁が取り付けられていることを特徴とする窓部構造。
【請求項４】
外壁面材と内壁面材とを備えた壁部に開口が形成され、この開口の縁部の外壁面材側と内壁面材側のそれぞれに間柱が設けられ、外壁面材側に設けられた間柱にサッシが取り付けられ、内壁面材側の開口部に窓台が設けられていることを特徴とする窓部構造。
【発明の詳細な説明】
【０００１】
【発明の属する技術分野】
この発明は、壁部の開口構造、そのような壁部の開口構造を備えた建物ユニット及び窓部構造に関する。
【０００２】
【従来の技術】
従来の建物の壁部への窓サッシの取付構造としては、図５に示すように、外壁パネル１１ａの開口２ａ部分に窓サッシ支持枠５１ａをボルト等で取り付けてから、窓サッシ５２ａを取り付けたり、予め、窓サッシ５２ａが取り付けられた窓サッシ支持枠５１ａを、外壁パネル１１ａの開口２ａ部分に取り付けることで、窓サッシ５２ａを窓サッシ支持枠５１ａを介して外壁パネル１１ａに取り付け、窓サッシ支持枠５１ａの屋内側に、外壁パネル１１ａの開口２ａに合わせて開口が設けられた内壁パネル１１ａが設けたものが知られている（例えば、特許文献１参照。）。
【０００３】
【特許文献１】
特開平５−１７１８６８号公報（第２頁、図２）
【０００４】
また、図６に示すように、サッシ枠５１ｂを外壁１１ｂより突出する状態で取り付け、該サッシ枠５１ｂの左右縦枠材５１１ｂ、５１２ｂを固定する一対の端柱３ｂ、３ｂの間に中間柱３１ｂを設け、中間柱３１ｂの室外側に見切材５３ｂを取り付け、一方の端柱３ｂと中間柱３１ｂとの間を開口部２ｂとなし、他方の端柱３ｂと中間柱３１ｂの間に外壁１１ｂの一部となる遮蔽壁１１１ｂを設けた引戸用サッシ５２ｂの取付構造が知られている（例えば、特許文献２参照。）。
【０００５】
【特許文献２】
特開平１１−１５９２５０号公報（特許請求の範囲、図１）
【０００６】
【発明が解決しようとする課題】
前記特許文献１に記載されている建物の壁部への窓サッシの取付構造では、窓サッシ支持枠５１ａを、外壁パネル１１ａの開口２ａ部分にボルト等で取り付けるものであるから、窓サッシ５２ａは、建物の外壁側にしか取り付けられない。
【０００７】
また、前記特許文献２に記載されている引戸用サッシの取付構造においても、サッシ枠５１ｂを外壁１１ｂより突出する状態で取り付けているので、特許文献１に記載されている建物の壁部への窓サッシの取付構造と同様に、引戸用サッシ５２ｂは、建物の外壁１１ｂ側にしか取り付けられない。
【０００８】
ところで、窓サッシを建物の外壁側に取り付ける他に、窓サッシを建物の内壁側に取り付けることによって、建物の窓部を入り込ませることによって、建物の外観上の変化をつけて高級感を与えることが求められることがある。
しかし、前記建物の壁部の開口構造では、窓サッシを建物の内壁側に取り付けることはできなかった。
【０００９】
この発明は、上述のような問題点を解決するためになされたもので、窓サッシを建物の外壁側に取り付ける他に、窓サッシを建物の内壁側に取り付けることができる、壁部の開口構造、そのような壁部の開口構造を備えた建物ユニット及び窓部構造を提供することを目的とする。
【００１０】
【課題を解決するための手段】
請求項１記載の発明の壁部の開口構造は、外壁面材と内壁面材とを備えた壁部に開口が形成され、この開口の縁部の外壁面材側と内壁面材側のそれぞれに間柱が設けられていることを特徴とする。
【００１１】
請求項２記載の発明の建物ユニットは、外壁面材と内壁面材とを備えた壁部を有する箱形の建物ユニットの前記壁部に開口が形成され、この開口の縁部の外壁面材側と内壁面材側のそれぞれに間柱が設けられていることを特徴とする。
【００１２】
請求項２記載に建物ユニットとしては、柱と下梁と上梁とを接合して箱形に形成したものを構造体にし、これに外壁面材と内壁面材とを備えた壁部を取り付け、その他の部材を付設してユニット化した建物ユニットであってもよいし、耐力壁とされる外壁面材と内壁面材とを備えた壁パネルと床パネル等とから箱形に形成した構造体にその他の部材を付設してユニット化した建物ユニット等があげられる。
この建物ユニットは、予め、工場で製造され、施工現場に運搬されで複数個が組み立てられてユニット建物とされる。
【００１３】
請求項３記載の発明の窓部構造は、外壁面材と内壁面材とを備えた壁部に開口が形成され、この開口の縁部の外壁面材側と内壁面材側のそれぞれに間柱が設けられ、内壁面材側に設けられた間柱にサッシが取り付けられ、外壁面材側の開口部に額縁が取り付けられていることを特徴とする。
【００１４】
請求項４記載の発明の窓部構造は、外壁面材と内壁面材とを備えた壁部に開口が形成され、この開口の縁部の外壁面材側と内壁面材側のそれぞれに間柱が設けられ、外壁面材側に設けられた間柱にサッシが取り付けられ、内壁面材側の開口部に窓台が設けられていることを特徴とする。
【００１５】
（作用）
請求項１記載の発明の壁部の開口構造によると、外壁面材と内壁面材とを備えた壁部に開口が形成され、この開口の縁部の外壁面材側と内壁面材側のそれぞれに間柱が設けられているので、好みによって外壁面材側と内壁面材側のそれぞれに設けられたいずれか一方の間柱にサッシを取り付けて窓部を形成できる。
【００１６】
請求項２記載の建物ユニットによると、外壁面材と内壁面材とを備えた壁部を有する箱形の建物ユニットの前記壁部に開口が形成され、この開口の縁部の外壁面材側と内壁面材側のそれぞれに間柱が設けられているので、好みによって外壁面材側と内壁面材側のそれぞれに設けられたいずれか一方の間柱にサッシを取り付けて窓部を形成できる。
なお、サッシの間柱への取付けについては、予め、工場で建物ユニットを製造する際に取り付けてもよいし、施工現場にて取り付けてもよい。
【００１７】
請求項３記載の窓部構造によると、内壁面材側に設けられた間柱にサッシが取り付けられ、外壁面材側の開口部に額縁が取り付けられているので、窓サッシを建物の内壁側に取り付けることによって、建物の窓部を入り込ませ、額縁によって、建物の外観上の変化をつけて高級感を与えることができる。
【００１８】
請求項４記載の窓部構造によると、外壁面材側に設けられた間柱にサッシが取り付けられ、内壁面材側の開口部に窓台が設けられているので、室内側の窓台が広くなって出窓のような使い方ができる。
【００１９】
【発明の実施の形態】
以下、この発明の実施の形態を図面に基づいて説明する。
【００２０】
図１は、この発明の請求項１に係る一実施の形態であって、壁部の開口構造を示す横断面図である。
図１において、１は壁部、２は壁部の開口、３及び４は間柱である。
【００２１】
壁部１は、外壁面材１１と内壁面材１２とが間隔をおいて並設され、その空間部に、石膏ボード１３の両側にグラスウールからなる断熱材１４が設けられた断熱パネルが設けられた二重壁構成になっている。外壁面材１１としては、例えば硬質木片セメント板が使用され、内壁面材１２としては、例えば強化石膏ボードが使用されている。
【００２２】
なお、１５は縦枠、１６は胴縁、１７は内壁用横桟、１８は建物ユニットの四隅に位置する角形鋼管製の柱であり、図示していないが、外壁面材１１側の断熱材１４の表面には透湿防風防水シートが設けられ、内壁面材１２と内壁用横桟１７との間には防湿フィルムが設けられている。
【００２３】
そして、壁部１の開口２の縁部の外壁面材１１側に間柱３が設けられると共に、内壁面材１２側に間柱４が設けられている。
この間柱３、４は、木製、鋼等の金属製のいずれでもよく、また壁部１の上下全長にわたる長尺のものでなく、開口２の側面にのみ沿う長さであってもよい。
【００２４】
上記壁部の構造では、間柱３が外壁面材１１側に設けられると共に、間柱４が内壁面材１２側に設けられているので、間柱３、４のいずれか一方にサッシを取り付けることにより、好みの位置に窓部を形成することができる。
【００２５】
次に、請求項２に係るこの発明の一実施の形態を図２に基づいて説明する。
図２において、図１に示すものと同様のものについては、同じ符号を付した他、１０は建物ユニットである。
【００２６】
建物ユニット１０は、四隅に位置する角形鋼管製柱１０と下梁（不図示）と上梁（不図示）とを接合して箱形に形成したものを構造体とし、これに外壁面材１１、内壁面材１２等を備えた壁部１が取り付けられたものであって、その複数個が組み立てられて建物が構築されている。なお、８は建物の床部である。
【００２７】
壁部１の構成は、図１に示したものと特に相違していないので説明を省略するが、開口２の縁部の外壁面材１１側に間柱３が設けられると共に、内壁面材１２側に間柱４が設けられていることも、図１に示すものと同様である。
【００２８】
この建物ユニット１０は、予め、工場で製造され、施工現場に運搬されで複数個が組み立てられてユニット建物（図示省略）とされるが、建物ユニットとしては、床パネルの周囲に耐力壁を立設して箱形状に構成した建物ユニットであってもよい。
その場合でも、壁部の開口部には、その縁部の外壁面材側と内壁面材側のそれぞれに間柱が設けられることが必要である。
【００２９】
上記建物ユニット１０では、間柱３が外壁面材１１側に設けられると共に、間柱４が内壁面材１２側に設けられているので、図１に示した実施の形態と同様に、間柱３、４のいずれか一方にサッシを取り付けることにより、好みの位置に窓部を形成することができる。
【００３０】
なお、サッシとしては、アルミニウム製のアルミサッシ、プラスチック製のプラサッシ等、その素材は限定されないが、プラスチック製のプラサッシが断熱性の面から好ましい。
また、サッシを、間柱３または間柱４に取り付けるのは、工場で建物ユニット１０を製造する際に予め取り付けてもよいし、ユニット建物を構築する際に施工現場にて取り付けてもよい。
【００３１】
次に、請求項３に係るこの発明の一実施の形態を図３に基づいて説明する。
図３の壁部１の開口構造は図１に示すものと実質的に同じであるので同じ符号を付して説明を省略する。
【００３２】
図３において、壁部１の開口２の縁部の内壁面材１２側に設けられた間柱４にサッシ５が取り付けられ、外壁面材１１側の開口部に額縁６が取り付けられ、内壁面材１２側の開口部に窓台７１が取り付けられて窓部が形成されている。
【００３３】
この窓部構造によると、壁部１は、図１に関して述べたとおり二重壁構造になっているから断熱性に非常に優れており、内壁面材１２側に設けられた間柱４にサッシ５が取り付けられ、外壁面材１１側の開口部に額縁６が取り付けられているので、窓サッシ５を建物の内壁側に取り付けることによって、建物の窓部を入り込ませ、額縁６によって、建物の外観上の変化をつけて高級感を与えることができる。
【００３４】
次に、請求項４に係るこの発明の一実施の形態を図４に基づいて説明する。
図４の壁部１の開口構造は図１に示すものと実質的に同じであるので同じ符号を付し説明を省略する。
【００３５】
図４において、壁部１の開口２の縁部の外壁面材１１側に設けられた間柱３にサッシ５が取り付けられ、内壁面材１２側の開口部に窓台７２が取り付けられて窓部が形成されている。
【００３６】
この窓部構造によると、外壁面材１１側に設けられた間柱３にサッシ５が取り付けられ、内壁面材１２側の開口部に窓台７２が設けられているので、室内側の窓台７２が広くなって出窓のような使い方ができる。
【００３７】
以上、この発明の実施の形態を実施例で詳細に説明したが、具体的な構成は、この実施例に限られるものではなく、この発明を要旨を逸脱しない範囲の設計の変更があっても、この発明に含まれる。
例えば、この実施例では、建物ユニットを組立てた鉄骨系の建物について説明したが、その他の建物でもよい。例えば、梁勝ちや柱勝ちの鉄骨系の建物でもよいし、木造建物でもよい。
【００３８】
【発明の効果】
請求項１記載の発明の壁部の開口構造によれば、外壁面材側と内壁面材側のそれぞれに設けられたいずれか一方の間柱を選んでサッシを取り付けることにより、好みの位置に窓部を形成できる。
【００３９】
請求項２記載の建物ユニットによれば、外壁面材側と内壁面材側のそれぞれに設けられたいずれか一方の間柱を選んでサッシを取り付けることにより、建物ユニットの壁部の好みの位置に窓部を形成できる。
【００４０】
請求項３記載の窓部構造によると、内壁面材側に設けられた間柱にサッシが取り付けられ、外壁面材側の開口部に額縁が取り付けられているので、窓サッシを建物の内壁側に取り付けることによって、建物の窓部を入り込ませ、額縁によって、建物の外観上の変化をつけて高級感を与えることができる。
【００４１】
請求項４記載の窓部構造によると、外壁面材側に設けられた間柱にサッシが取り付けられ、内壁面材側の開口部に窓台が設けられているので、室内側の窓台が広くなって出窓のような使い方ができる。
【図面の簡単な説明】
【図１】請求項１に係るこの発明の一実施の形態であって、壁部の開口構造を示す横断面図である。
【図２】請求項２に係るこの発明の一実施の形態の要部を示す横断面図である。
【図３】請求項３に係るこの発明の一実施の形態であって、窓部構造を示す横断面図である。
【図４】請求項３に係るこの発明の一実施の形態であって、窓部構造を示す横断面図である。
【図５】従来のサッシ取付構造を示す縦断面図である。
【図６】従来のサッシ取付構造の他の例を示す横断面図である。
【符号の説明】
１            壁部
２            開口
３、４        間柱
５            サッシ
６            額縁
７２          窓台
８            床パネル
１０          建物ユニット
【図１】
2004346626.tif 000003
【図２】
2004346626.tif 000004
【図３】
2004346626.tif 000005
【図４】
2004346626.tif 000006
【図５】
2004346626.tif 000007
【図６】
2004346626.tif 000008